(57)【要約】複数のアンテナポート（ＡＰ）を有する基地局（ＢＳ）から、第１チャネル状態情報参照信号（ＣＳＩ−ＲＳ）リソースを用いて前記複数のＡＰにおいて複数の第１ＣＳＩ−ＲＳを送信するステップと、ＵＥにおいて、前記第１ＣＳＩ−ＲＳを受信するステップと、前記ＵＥにおいて、前記第１ＣＳＩ−ＲＳリソースにおける参照信号受信電力（ＲＳＲＰ）値を算出するステップと、を有する無線通信方法。前記ＲＳＲＰ値は、前記複数の第１ＣＳＩ−ＲＳのそれぞれから算出されるＲＳＲＰ値の平均である。前記ＲＳＲＰ値はワット数で算出される。前記ＵＥにおいて、前記算出されたＲＳＲＰ値と前記第１ＣＳＩ−ＲＳリソースを示すＣＳＩリソースインジケータ（ＣＲＩ）との少なくとも１つを、前記ＢＳに報告するステップをさらに含む無線通信方法。
2020532185.tif 000002
【特許請求の範囲】
【請求項１】
複数のアンテナポート（ＡＰ）を有する基地局（ＢＳ）から、第１チャネル状態情報参照信号（ＣＳＩ−ＲＳ）リソースを用いて前記複数のＡＰにおいて複数の第１ＣＳＩ−ＲＳを送信するステップと、
ユーザ装置（ＵＥ）において、前記第１ＣＳＩ−ＲＳを受信するステップと、
前記ＵＥにおいて、前記第１ＣＳＩ−ＲＳリソースにおける参照信号受信電力（ＲＳＲＰ）値を算出するステップと、を有する無線通信方法。
【請求項２】
前記ＲＳＲＰ値は、前記複数の第１ＣＳＩ−ＲＳのそれぞれから算出されるＲＳＲＰ値の線形平均である、請求項１に記載の無線通信方法。
【請求項３】
前記ＲＳＲＰ値はワット数で算出される請求項１に記載の無線通信方法。
【請求項４】
前記ＵＥにおいて、前記算出されたＲＳＲＰ値と前記第１ＣＳＩ−ＲＳリソースを示すＣＳＩリソースインジケータ（ＣＲＩ）との少なくとも１つを、前記ＢＳに報告するステップをさらに含む請求項１に記載の無線通信方法。
【請求項５】
前記送信するステップにおいて、第２ＣＳＩ−ＲＳリソースを用いて前記複数のＡＰにおいて複数の第２ＣＳＩ−ＲＳを送信し、
前記受信するステップにおいて、前記複数の第２ＣＳＩ−ＲＳを受信し、
前記算出するステップにおいて、前記第２ＣＳＩ−ＲＳリソースにおけるＲＳＲＰ値を算出する、請求項１に記載の無線通信方法。
【請求項６】
前記ＵＥにおいて、前記第１ＣＳＩ−ＲＳリソース及び前記第２ＣＳＩ−ＲＳリソースにおいて算出されたＲＳＲＰ値と、ＣＲＩとを、前記ＢＳへ報告するステップをさらに含み、
前記ＣＲＩは、前記第１ＣＳＩ−ＲＳリソース及び前記第２ＣＳＩ−ＲＳリソースを示す請求項５に記載の無線通信方法。
【請求項７】
前記ＵＥにおいて、前記第１ＣＳＩ−ＲＳリソース及び前記第２ＣＳＩ−ＲＳリソースにおいて算出された前記ＲＳＲＰ値に基づいて、前記第１ＣＳＩ−ＲＳリソース及び前記第２ＣＳＩ−ＲＳリソースからＣＳＩ−ＲＳリソースを決定するステップと、
前記ＵＥにおいて、前記決定されたＣＳＩ−ＲＳリソースを示すＣＲＩを報告するステップと、をさらに含む請求項５に記載の無線通信方法。
【請求項８】
前記報告するステップにおいて、前記決定されたＣＳＩ−ＲＳリソースに対応する前記算出されたＲＳＲＰ値を報告する請求項７に記載の無線通信方法。
【請求項９】
複数のアンテナポート（ＡＰ）を有する基地局（ＢＳ）から、第１チャネル状態情報参照信号（ＣＳＩ−ＲＳ）リソースを用いて前記複数のＡＰにおいて送信される複数の第１ＣＳＩ−ＲＳを受信する受信部と、
前記第１ＣＳＩ−ＲＳリソースにおける参照信号受信電力（ＲＳＲＰ）値を算出する制御部と、を有するユーザ装置（ＵＥ）。
【請求項１０】
前記ＲＳＲＰ値は、前記複数の第１ＣＳＩ−ＲＳのそれぞれから算出されるＲＳＲＰ値の平均である請求項９に記載のＵＥ。
【請求項１１】
前記ＲＳＲＰ値はワット数で算出される請求項９に記載のＵＥ。
【請求項１２】
前記算出されたＲＳＲＰ値と前記第１ＣＳＩ−ＲＳリソースを示すＣＳＩリソースインジケータ（ＣＲＩ）との少なくとも１つを、前記ＢＳに送信する送信部をさらに有する請求項９に記載のＵＥ。
【請求項１３】
前記受信部は、前記ＢＳから、第２ＣＳＩ−ＲＳリソースを用いて前記複数のＡＰにおいて送信される複数の第２ＣＳＩ−ＲＳを、受信し、
前記制御部は、前記第２ＣＳＩ−ＲＳリソースにおけるＲＳＲＰ値を算出する請求項９に記載のＵＥ。
【請求項１４】
前記第１ＣＳＩ−ＲＳリソース及び前記第２ＣＳＩ−ＲＳリソースにおいて算出されたＲＳＲＰ値と、ＣＲＩとを、前記ＢＳへ送信する送信部をさらに有し、
前記ＣＲＩは、前記第１ＣＳＩ−ＲＳリソース及び前記第２ＣＳＩ−ＲＳリソースを示す請求項１３に記載のＵＥ。
【請求項１５】
前記制御部は、前記第１ＣＳＩ−ＲＳリソース及び前記第２ＣＳＩ−ＲＳリソースにおいて算出された前記ＲＳＲＰ値に基づいて、前記第１ＣＳＩ−ＲＳリソース及び前記第２ＣＳＩ−ＲＳリソースからＣＳＩ−ＲＳリソースを決定し、
前記送信部は、前記決定されたＣＳＩ−ＲＳリソースを示すＣＲＩを、前記ＢＳに送信する請求項１３に記載のＵＥ。
【請求項１６】
前記送信部は、前記決定されたＣＳＩ−ＲＳリソースに対応する前記算出されたＲＳＲＰ値を送信する請求項１５に記載のＵＥ。
【請求項１７】
複数のアンテナポート（ＡＰ）と、
第１チャネル状態情報参照信号（ＣＳＩ−ＲＳ）リソースを用いて前記複数のＡＰにおいて複数の第１ＣＳＩ−ＲＳを、ユーザ装置（ＵＥ）に送信する送信部と、
前記第１ＣＳＩ−ＲＳリソースにおいて算出される参照信号受信電力（ＲＳＲＰ）値を、前記ＵＥから受信する受信部と、を有する基地局（ＢＳ）。
【請求項１８】
前記ＲＳＲＰ値は、前記複数の第１ＣＳＩ−ＲＳのそれぞれから算出されるＲＳＲＰ値の平均である請求項１７に記載のＵＥ。
【請求項１９】
前記ＲＳＲＰ値はワット数で算出される請求項１７に記載のＵＥ。
【請求項２０】
前記送信部は、第２ＣＳＩ−ＲＳリソースを用いて前記複数のＡＰにおいて複数の第２ＣＳＩ−ＲＳを、前記ＵＥに送信し、
前記ＵＥは、前記第２ＣＳＩ−ＲＳリソースにおけるＲＳＲＰ値を算出し、
前記ＵＥは、前記第１ＣＳＩ−ＲＳリソース及び前記第２ＣＳＩ−ＲＳリソースにおいて算出された前記ＲＳＲＰ値に基づいて、前記第１ＣＳＩ−ＲＳリソース及び前記第２ＣＳＩ−ＲＳリソースからＣＳＩ−ＲＳリソースを決定し、
前記受信部は、前記決定されたＣＳＩ−ＲＳリソースを示すＣＲＩを、前記ＵＥから受信する請求項１７に記載のＵＥ。
【発明の詳細な説明】
【技術分野】
【０００１】
本開示における一以上の実施形態は、複数のアンテナポート（ＡＰ）を含む基地局（ＢＳ）及びユーザ装置から構成される無線通信システムにおける無線通信方法に関する。
【背景技術】
【０００２】
Ｎｅｗ  Ｒａｄｉｏ（ＮＲ、第５世代（５Ｇ）無線アクセス技術）システムは、より高い周波数帯域（例えば、ミリ波（ｍｍＷａｖｅ））によって動作する。ｍｍＷａｖｅを使用したＮＲシステムにおいて、送信及び受信ビームの選択がシステムの特性に大きく影響する。
【０００３】
ＮＲシステムにおいて、送信及び受信ビームは、ビームマネジメント及びチャネル状態情報（Channel  State  Information（ＣＳＩ））の取得により決定される。通常、長期的（周期的）且つ広帯域のビームをビームマネジメントにおいて決定してもよく、次いで、短期的（トリガされる）且つ狭帯域のビームをＣＳＩ取得スキームにおいて決定してもよい。
【０００４】
ビームマネジメントにおいて、送受信ポイント（Transmission  /  Reception  Point（ＴＲＰ））（例えば、gNodeB（ｇＮＢ））の下りリンク（ＤＬ）送信（Ｔｘ）ビーム及びユーザ機器（ＵＥ）のＤＬ受信（Ｒｘ）ビームが決定されてもよい。さらに、ビームマネジメントにおいて、ＴＲＰにおける上りリンク（ＵＬ）Ｒｘビーム及びＵＥのＵＬ  Ｔｘビームが決定されてもよい。
【０００５】
図１は、チャネル状態情報参照信号（Channel  State  Information  −  Reference  Signal（ＣＳＩ−ＲＳ））が、１ポート（アンテナポート（ＡＰ））を使用して送信される、従来のビームマネジメントスキームを示す図である。言い換えると、図１は、１つの直交周波数分割多重（Orthogonal  Frequency  Division  Multiplexing（ＯＦＤＭ））シンボルに対して、１ポートの各ＣＳＩ−ＲＳリソース（ビーム）を使用したビームマネジメントの例を示している。図１に示すように、ＣＳＩ−ＲＳ＃１−４は、それぞれＤＬ  Ｔｘビーム＃１−４を使用して送信され、ＣＳＩ−ＲＳ＃１−４のそれぞれは、１つのＡＰから送信される。図１において、ＴＲＰのＤＬ  Ｔｘビーム及びＵＥのＤＬ  Ｒｘビームが、ビームマネジメントにおいて選択されうる。
【０００６】
３ＧＰＰ（3rd  Generation  Partnership  Project）無線アクセスネットワーク（Radio  Access  Network（ＲＡＮ））ワーキンググループ（Working  Group（ＷＧ））において、１つのＯＦＤＭシンボルに対して、１ポート及び２ポートの各ＣＳＩ−ＲＳリソース（ビーム）が、ＮＲシステムにおけるビームマネジメントに使用されうることが同意されている。しかしながら、３ＧＰＰ  ＲＡＮ  ＷＧにおいて、２つ以上のポート（ＡＰ）の各ＣＳＩ−ＲＳリソース（ビーム）を使用したビームマネジメントの実行方法について決定されていない。
【先行技術文献】
【非特許文献】
【０００７】
【非特許文献１】3GPP,  TS  36.211  V14.3.0
【非特許文献２】3GPP,  TS  36.213  V14.3.0
【発明の概要】
【０００８】
本開示における一以上の実施形態は、複数のアンテナポート（ＡＰ）を有する基地局（ＢＳ）から、第１ＣＳＩ−ＲＳリソースを用いて複数のＡＰにおいて複数の第１チャネル状態情報参照信号（Channel  State  Information  −  Reference  Signal（ＣＳＩ−ＲＳ））を送信するステップと、ユーザ装置（ＵＥ）において、前記複数の第１ＣＳＩ−ＲＳを受信するステップと、前記ＵＥにおいて、前記第１ＣＳＩ−ＲＳリソースにおける参照信号受信電力（Reference  Signal  Received  Power（ＲＳＲＰ））値を算出するステップと、を有する無線通信方法に関する。
【０００９】
本開示における一以上の実施形態は、複数のＡＰを有するＢＳから、第１ＣＳＩ−ＲＳリソースを用いて複数のＡＰにおいて送信される複数の第１ＣＳＩ−ＲＳを受信する受信部と、前記第１ＣＳＩ−ＲＳリソースにおけるＲＳＲＰ値を算出する制御部と、を有するＵＥに関する。
【００１０】
本開示における一以上の実施形態は、複数のＡＰと、第１ＣＳＩ−ＲＳリソースを用いて前記複数のＡＰにおいて複数の第１ＣＳＩ−ＲＳを、ＵＥに送信する送信部と、前記第１ＣＳＩ−ＲＳリソースにおいて算出されたＲＳＲＰ値を、ＵＥから受信する受信部と、を有するＢＳに関する。
【００１１】
本開示の一以上の実施形態によれば、複数のＡＰにおける各ＣＳＩ−ＲＳリソース（ビーム）を用いるビームマネジメントを実行する方法を提供することができる。
【００１２】
本開示の他の実施形態及び利点は、明細書及び図面から認識される。
【図面の簡単な説明】
【００１３】
【図１】１ＡＰの各ＣＳＩ−ＲＳリソース（ビーム）を用いる既存のビームマネジメントを示す図である。
【図２】本開示の一以上の実施形態に係る無線通信システムの構成を示す図である。
【図３Ａ】本開示の一以上の実施形態に係る、３０ＧＨｚのｇＮＢのアンテナモデルを示す図である。
【図３Ｂ】本開示の一以上の実施形態に係る、７０ＧＨｚのｇＮＢのアンテナモデルを示す図である。
【図４Ａ】本開示の一以上の実施形態に係る、３０ＧＨｚのＵＥのアンテナモデルを示す図である。
【図４Ｂ】本開示の一以上の実施形態に係る、７０ＧＨｚのＵＥのアンテナモデルを示す図である。
【図５】本開示の一以上の実施形態に係る、複数のＡＰの各ＣＳＩ−ＲＳリソース（ビーム）を用いるビームマネジメントの動作を示す図である。
【図６】本開示の第１の実施例における一以上の実施形態に係る、ビームマネジメント及びＣＳＩ取得スキームを示すフローチャート図である。
【図７】本開示の第１の実施例における一以上の実施形態に係る、ＲＳＲＰ算出及びＣＲＩ決定の一例を示す図である。
【図８】本開示の第１の実施例における一以上の実施形態に係る、ビームマネジメントの動作例を示すシーケンス図である。
【図９】本開示の第１の変形例における一以上の実施形態に係る、ＲＳＲＰ算出及びＣＲＩ決定の一例を示す図である。
【図１０】本開示の第１の変形例における一以上の実施形態に係る、ＲＳＲＰ算出及びＣＲＩ決定の一例を示す図である。
【図１１】本開示の第２の実施例における一以上の実施形態に係る、ビームマネジメント及びＣＳＩ取得スキームを示すフローチャート図である。
【図１２】本開示の第２の実施例における一以上の実施形態に係る、ビームマネジメントの動作例を示すシーケンス図である。
【図１３】本開示の第１の実施例における一以上の実施形態に係る、ＡＰ決定の一例を示す図である。
【図１４】本開示の第４の実施例における一以上の実施形態に係る、ビームマネジメント及びＣＳＩ取得スキームを示すフローチャート図である。
【図１５】本開示の一以上の実施形態に係るｇＮＢの概略構成を示す図である。
【図１６】本開示の一以上の実施形態に係るＵＥの概略構成を示す図である。
【発明を実施するための形態】
【００１４】
以下、図面を参照して本発明の実施形態を詳細に説明する。本発明の実施形態においては、本発明のより完全な理解を提供するために、多数の特定の詳細が述べられている。しかし、これらの特定の詳細なしで本発明を実施できることは、当業者には明らかである。他の例においては、本発明を曖昧にすることを避けるために、周知の特徴は詳細に説明されていない。
【００１５】
本開示の一以上の実施形態において、ビームはリソースと読み替えられてもよい。例えば、ＣＳＩ−ＲＳの送信に用いられるＤＬ  Ｔｘビームは、ＣＳＩ−ＲＳリソースであってもよい。例えば、各ビームを識別するためのビームインデックス（Beam  Index（ＢＩ））は、各ＣＳＩ−ＲＳリソースを識別するためのＣＳＩ−ＲＳリソースインジケータ（CSI-RS  Resource  Indicator（ＣＲＩ））などのリソースインデックスと読み替えられてもよい。
【００１６】
図２は、本開示の一以上の実施形態に係る無線通信システム１である。無線通信システム１は、ユーザ装置（User  Equipment（ＵＥ））１０、gNodeB（ｇＮＢ）２０及びコアネットワーク３０を含む。無線通信システム１は、New  Radio（ＮＲ）システムであってもよい。無線通信システム１は、本明細書において説明される特定の構成に限定されず、ＬＴＥ／ＬＴＥ−Ａｄｖａｎｃｅｄ（ＬＴＥ−Ａ）システムなどの任意のタイプの無線通信システムであってもよい。
【００１７】
ｇＮＢ２０は、当該ｇＮＢ２０のセル内にあるＵＥ１０と、ＵＬ及びＤＬ信号を通信してもよい。当該ＵＬ及びＤＬ信号は、制御情報及びユーザデータを含んでもよい。ｇＮＢ２０は、バックホールリンク３１を介して、コアネットワーク３０と、ＵＬ及びＤＬ信号を通信してもよい。ｇＮＢ２０は、基地局（Base  Station（ＢＳ））の一例であってもよい。ｇＮＢ２０は、ＴＲＰと読み替えられてもよい。例えば、無線通信システム１がＬＴＥシステムである場合、当該ＢＳはevolved−NodeB（ｅＮＢ）であってもよい。
【００１８】
ｇＮＢ２０は、アンテナと、隣接するｇＮＢ２０と通信するための通信インターフェース（例えば、Ｘ２インターフェース）と、コアネットワーク３０と通信するための通信インターフェース（例えば、Ｓ１インターフェース）と、ＵＥ１０との送受信信号を処理するプロセッサ又は回路などのＣＰＵ（Central  Processing  Unit）と、を含む。ｇＮＢ２０の動作は、プロセッサがメモリに格納されたデータ及びプログラムを処理又は実行することによって実装されてもよい。しかしながら、ｇＮＢ２０は、上述したハードウェア構成に限定されず、当業者によって理解されるような他の適切なハードウェア構成によって実現されてもよい。無線通信システム１のより広域なサービスエリアをカバーするために、多数のｇＮＢ２０を配置してもよい。
【００１９】
例えば、ｇＮＢ２０のアンテナモデルは、図３Ａ及び図３Ｂに示すようなタプル（Ｍ，Ｎ，Ｐ，Ｍｇ，Ｎｇ）で構成されてもよい。図３Ａ及び図３Ｂは、それぞれ３０ＧＨｚ及び７０ＧＨｚのｇＮＢのアンテナモデルを示す。「Ｍ」は列のアンテナエレメント数であり、「Ｎ」は行のアンテナエレメント数である。「Ｐ」はアンテナの偏波数である。「Ｍｇ」は列のパネル数であり、「Ｎｇ」は行のパネル数である。
【００２０】
ＵＥ１０は、多入力多出力（Multi  Input  Multi  Output（ＭＩＭＯ））技術を用いて、制御情報及びユーザデータを含むＤＬ及びＵＬ信号を、ｇＮＢ２０と通信してもよい。ＵＥ１０は、移動局、スマートフォン、携帯電話、タブレット、モバイルルータ、または、ウェアラブルデバイスなどの無線通信機能を有する情報処理装置であってもよい。無線通信システム１は、一以上のＵＥ１０を含んでもよい。
【００２１】
ＵＥ１０は、プロセッサなどのＣＰＵと、ＲＡＭ（Random  Access  Memory）と、フラッシュメモリと、ｇＮＢ２０及びＵＥ１０との間で無線信号を送受信する無線通信装置と、を含んでもよい。例えば、以下に説明するＵＥ１０の動作は、ＣＰＵがメモリに格納されたデータ及びプログラムを処理又は実行することにより実装されてもよい。しかしながら、ＵＥ１０は、上述したハードウェア構成に限定されず、例えば、以下に説明する処理を実現する回路によって構成されてもよい。
【００２２】
例えば、ＵＥのアンテナモデルは、図４Ａ及び図４Ｂに示すようなタプル（Ｍ，Ｎ，Ｐ，Ｍｇ，Ｎｇ）で構成されてもよい。図４Ａ及び図４Ｂは、それぞれ３０ＧＨｚ及び７０ＧＨｚのＵＥのアンテナモデルを示す。
【００２３】
本開示の一以上の実施形態に係るビームマネジメントにおいて、複数のＡＰの各ＣＳＩ−ＲＳリソース（ビーム）が、ＣＳＩ−ＲＳ送信に用いられてもよい。例えば、図５に示すように、ＣＳＩ−ＲＳ＃１は、ＤＬ  Ｔｘビーム＃１を用いて、ＡＰ＃０及びＡＰ＃１から送信されてもよい。例えば、ｇＮＢ２０は、ビームスイーピングを用いて、ビームフォーミングされたＣＳＲ−ＲＳ＃１−４を送信してもよい。
【００２４】
図５の例において、ＡＰの数は２（ＡＰ＃０及び＃１）である。しかしながら、ＡＰの数は２に限定されない。本開示の一以上の実施形態において、ＣＳＩ−ＲＳ送信に用いられるＡＰの数は、２以上であってもよい。
【００２５】
（第１の実施例）
図６は、本開示の第１の実施例における一以上の実施形態に係る、ビームマネジメント及びＣＳＩ取得スキームを示すフローチャート図である。当該ビームマネジメント及びＣＳＩ取得は、単一の連続する手順でなくてもよい。
【００２６】
図６に示すように、ステップＳ１１において、ｇＮＢ２０は、ＣＳＩ−ＲＳリソースを用いて当該ｇＮＢ２０の複数のＡＰにおいて複数のＣＳＩ−ＲＳを送信してもよい。例えば、ｇＢ２０が２つのＡＰ（ＡＰ＃０及び＃１）を有し、ビームスイーピング動作によって４つのＣＳＩ−ＲＳリソース（ＣＲＩ＃１−＃４）を使用する場合、ｇＮＢ２０は、ＣＲＩ＃１を使用してＡＰ＃０及びＡＰ＃１において第１ＣＳＩ−ＲＳを送信する。このとき、ｇＮＢ２０は、ＣＲＩ＃２を使用してＡＰ＃０及びＡＰ＃１において第２ＣＳＩ−ＲＳを送信し、ＣＲＩ＃３を使用してＡＰ＃０及びＡＰ＃１において第３ＣＳＩ−ＲＳを送信し、ＣＲＩ＃４を使用してＡＰ＃０及びＡＰ＃１において第４ＣＳＩ−ＲＳを送信する。
【００２７】
ステップＳ１２において、ＵＥ１０は、当該ＣＳＩ−ＲＳの送信に使用されるＣＳＩ−ＲＳリソースにおけるＲＳＲＰ値を算出してもよい。当該ＲＳＲＰはメトリックの例であってもよい。当該メトリックは、参照信号受信品質（Reference  Signal  Received  Quality（ＲＳＲＱ））、受信信号強度インジケータ（Received  Signal  Strength  Indicator（ＲＳＳＩ））、ＣＲＩ及びチャネル品質インジケータ（Channel  Quality  Indicator（ＣＱＩ））であってもよい。
【００２８】
本開示の第１の実施例における一以上の実施形態において、ＲＳＲＰ値は、複数のＡＰにおいて送信される複数のＣＳＩ−ＲＳのそれぞれに対して算出されたＲＳＲＰ値の線形平均である。例えば、図７に示すように、ｇＮＢ２０がＡＰ＃１−＃４において複数のＣＳＩ−ＲＳを送信する場合、当該ｇＮＢ２０は、ＣＲＩ＃１に対するＡＰ＃０及び＃１のそれぞれにおいて、ＲＳＲＰ値（「Ｐ０１  ｄＢｍ」及び「Ｐ１１  ｄＢｍ」）を算出してもよく、次いで、当該ｇＮＢ２０は、Ｐ０１  ｄＢｍ及びＰ１１  ｄＢｍのＲＳＲＰ値の線形平均である、Ｐ１  ｄＢｍを算出してもよい。ＣＲＩ＃１と同様に、当該ｇＮＢ２０は、各ＣＲＩ＃２、ＣＲＩ＃３及びＣＲＩ＃４について、各ＡＰ＃０及び＃１において算出されたＲＳＲＰ値を平均することにより、Ｐ２  ｄＢｍ、Ｐ３  ｄＢｍ及びＰ４  ｄＢｍを算出してもよい。本開示の一以上の実施形態において、当該ＲＳＲＰ値は、ワット数（［Ｗ］）で算出される。
【００２９】
ＵＥ１０は、平均化されたＲＳＲＰ値「Ｐ１  ｄＢｍ」、「Ｐ２  ｄＢｍ」、「Ｐ３  ｄＢｍ」及び「Ｐ４  ｄＢｍ」を比較し、当該平均化されたＲＳＲＰ値に基づいてＣＳＩのフィードバック用に報告される一以上のＣＲＩを決定してもよい。例えば、ＵＥ１０は、平均化されたＲＳＲＰ値のうちの最大値を有する１つのＣＲＩを決定してもよい。例えば、図７において、「Ｐ２  ｄＢｍ」が最大のＲＳＲＰ値である場合、当該ＵＥ１０は、ＣＳＩのフィードバック用に報告されるＣＲＩ＃２を決定してもよい。例えば、当該ＵＥ１０は、大きい値Ｍ個のＲＳＲＰ値をもつ二以上のＣＲＩを決定してもよい。したがって、当該ＣＲＩは、ＣＳＩ−ＲＳ送信に用いられる全てのＡＰに対するＲＳＲＰ値に基づいて決定されてもよい。
【００３０】
図６に戻り、ステップＳ１３において、ＵＥ１０は、ＣＳＩのフィードバックのためのＣＳＩ報告を実行してもよい。当該ＣＳＩ報告は、決定されたＣＲＩ及び決定されたＣＲＩに対応するＲＳＲＰ値の少なくとも１つを含んでもよい。
【００３１】
図８は、本開示の第１の実施例における一以上の実施形態に係る、ビームマネジメントスキームの動作例を示すシーケンス図である。図１０の例において、ｇＮＢ２０は２つのＡＰ（ＡＰ＃０及び＃１）を有し、ＣＳＩ−ＲＳ送信のためのビームスイーピングにおいて４つのＣＳＩ−ＲＳリソース（ＣＲＩ＃１−＃４）を使用する。上記のように、ＣＳＩ−ＲＳ送信に用いられるＡＰ数は、二以上であってもよい。さらに、ｇＮＢ２０は、ビームスイーピングにおいて、少なくとも２つのＣＳＩ−ＲＳリソースを使用してもよい。
【００３２】
図８に示すように、ステップＳ１０１において、ｇＮＢ２０は、ＣＲＩ＃１−＃４を用いて複数のＡＰ＃０及び＃１において複数のＣＳＩ−ＲＳ＃１−＃４を送信してもよい。
【００３３】
次いで、ＵＥ１０は、複数のＣＳＩ−ＲＳ＃１−＃４を受信する。ステップＳ１０２において、ＵＥ１０は、ＣＲＩ＃１−＃４のそれぞれにおけるＲＳＲＰ値を算出してもよい。当該ＲＳＲＰ値は、ＣＲＩ＃１−＃４のそれぞれに対する、ＡＰ＃０及び＃１において送信される複数のＣＳＩ−ＲＳのそれぞれのＲＳＲＰ値の平均であってもよい。
【００３４】
ステップＳ１０３において、ＵＥ１０は、当該算出されたＲＳＲＰ値に基づいて、少なくとも１つのＣＲＩを決定してもよい。
【００３５】
ステップＳ１０４において、ＵＥ１０はｇＮＢ２０へのＣＳＩのフィードバックのためのＣＳＩ報告を実行する。当該ＣＳＩ報告は、決定されたＣＲＩ及び決定されたＣＲＩに対応するＲＳＲＰ値を含む。さらに、ＣＳＩ報告には、ランクインジケータ（Rank  Indicator（ＲＩ））、ＣＲＩ、プリコーディング行列インジケータ（Precoding  Matrix  Indicator（ＰＲＩ））、ＣＱＩ及びＲＳＲＰの少なくとも１つを含む。
【００３６】
したがって、本開示の第１の実施例における一以上の実施形態によれば、複数のＡＰを有するｇＮＢ２０は、第１ＣＳＩ−ＲＳリソースを用いて複数のＡＰにおいて複数の第１ＣＳＩ−ＲＳを送信し、第２ＣＳＩ−ＲＳリソースを用いて複数のＡＰにおいて複数の第２ＣＳＩ−ＲＳを送信してもよい。ＵＥ１０が、複数の第１ＣＳＩ−ＲＳ及び複数の第２ＣＳＩ−ＲＳを受信する場合、当該ＵＥ１０は、第１ＣＳＩ−ＲＳリソースにおける第１ＲＳＲＰ値を算出し、第２ＣＳＩ−ＲＳリソースにおける第２ＲＳＲＰ値を算出してもよい。第１ＣＳＩ−ＲＳリソースにおける第１ＲＳＲＰ値は、複数の第１ＣＳＩ−ＲＳのそれぞれにおいて算出されたＲＳＲＰ値の平均であってもよい。第２ＣＳＩ−ＲＳリソースにおける第２ＲＳＲＰ値は、複数の第２ＣＳＩ−ＲＳのそれぞれにおいて算出されたＲＳＲＰ値の平均であってもよい。ＵＥ１０は、第１及び第２ＲＳＲＰ値に基づいて、少なくとも１つのＣＳＩ−ＲＳリソースを決定してもよい。ＵＥ１０は、決定されたＣＲＩ及び決定されたＣＲＩに対応するＲＳＲＰ値を報告してもよい。
【００３７】
（第１の変形例）
本開示の第１の変形例における一以上の実施形態によれば、図９に示すように、ｇＮＢ２０は４つのＡＰ（ＡＰ＃０−＃１）を有する場合、限られたＡＰ（例えば、最小のＡＰ番号（例えば、ＡＰ＃０））に対するＲＳＲＰ値を比較してもよい。例えば、「Ｐ０２  ｄＢＭ」が最大のＲＳＲＰ値である場合、ＲＳＲＰ値が「Ｐ０２  ｄＢＭ」であるＣＲＩ＃２（ビーム＃２）が決定されてもよい。言い換えれば、ＡＰ＃１−＃３におけるＲＳＲＰ値は、ＣＳＩ選択において無視されてもよい。ＣＳＩのフィードバックのためのＣＳＩ報告は、ＣＲＩ＃２（ビーム＃２）及びＣＲＩ＃２に対する「Ｐ０２  ｄＢＭ」を含んでもよい。さらに、ＲＳＲＰ値の比較のために用いられるＡＰの数は、１つに限られない。本開示の一以上の実施形態において、ＲＳＲＰ値の比較のために用いられるＡＰの数は、二以上であってもよい。当該ＡＰの数又はＡＰインデックスは、ｇＮＢから通知されうる。この場合、メトリック値はＡＰ全体で平均化できる。
【００３８】
本開示の第１の変形例における一以上の実施形態によれば、ＣＲＩは、各ＡＰ番号において決定されてもよい。例えば、図１０に示されるように、ＲＳＲＰ値はＡＰ＃０−＃３のそれぞれにおいて比較されてもよい。図１０の例において、ＡＰ＃０の「Ｐ０１  ｄＢＭ」、ＡＰ＃１の「Ｐ１３  ｄＢＭ」、ＡＰ＃２の「Ｐ２２  ｄＢＭ」及びＡＰ＃３の「Ｐ３４  ｄＢＭ」が、各ＡＰ番号における最大のＲＳＲＰ値である場合、ＡＰ＃０に対してＣＲＩ＃１、ＡＰ＃１に対してＣＲＩ＃３、ＡＰ＃２に対してＣＲＩ＃２及びＡＰ＃３に対してＣＲＩ＃４が、決定されてもよい。例えば、フィードバック情報は、ＡＰ＃０に対するＣＲＩ＃１、ＡＰ＃１に対するＣＲＩ＃３、ＡＰ＃２に対するＣＲＩ＃２及びＡＰ＃３に対するＣＲＩ＃４を示してもよい。ＣＳＩのフィードバックのためのＣＳＩ報告は、各ＡＰ番号において選択されたＣＳＩに対応するＲＳＲＰ値を更に含んでもよい。別の例として、ＡＰ番号をグループ化することができる。例えば、ビームマネジメントは、ＡＰのグループ毎に実行される（例えば、ＡＰ＃０と＃１とを用いるビームマネジメント、および、ＡＰ＃２と＃３とを用いるビームマネジメント）。
【００３９】
本開示の実施形態の他の例として、ＲＳＲＰは、時間平均及び／又は周波数平均されてもよい。例えば、ＲＳＲＰは、ワット単位又はデシベル（ｄＢｍ）単位として平均化されてもよい。
【００４０】
本開示の実施形態の他の例として、受信重量（受信ビーム）がメトリック算出に適用されてもよい。例えば、受信重量は、ｇＮＢ２０からの情報（例えば、疑似コロケーション、空間疑似コロケーション及びビーム指示）に基づいて決定されてもよい。
【００４１】
（第２の実施例）
図１１は、本開示の第２の実施例における一以上の実施形態に係る、ビームマネジメント及びＣＳＩ取得を示すフローチャート図である。当該ビームマネジメント及びＣＳＩ取得は、単一の連続する手順でなくてもよい。図１１におけるステップＳ２１及びＳ２３は、図６のステップＳ１１及びＳ１３に対応する。
【００４２】
図１１に示すように、ステップＳ２２において、ＵＥ１０は、ｇＮＢからのＣＳＩ−ＲＳリソースを用いる複数のＡＰにおいて送信されるＣＳＩ−ＲＳに基づいて、ＲＳＲＰを算出してもよい。ビームマネジメントにおけるステップＳ１２において、ＵＥ１０は、ｇＮＢ２０へ、決定されたＡＰ及び選択されたＡＰに対して算出されたメトリックの少なくとも１つを含むフィードバック情報を送信してもよい。
【００４３】
ステップＳ２３において、ＵＥ１０は、ｇＮＢ２０へ、決定されたＡＰを含むＣＳＩのフィードバックのためのＣＳＩ報告を行ってもよい。
【００４４】
図１２は、本開示の第２の実施例における一以上の実施形態に係る、ビームマネジメントスキームの動作例を示すシーケンス図である。図１２のステップＳ２０１は、図８のステップＳ１０１に対応する。図１２の例において、ｇＮＢ２０のＡＰの数は、４つであってもよく、ビームスイーピングにおけるビーム（ＣＳＩ−ＲＳリソース）の数は、４つであってもよい。上述したように、ＣＳＩ−ＲＳ送信のために用いられるＡＰの数は、二以上であってもよい。さらに、ｇＮＢ２０は、ビームスイーピングにおいて少なくとも２つのビーム（ＣＳＩ−ＲＳリソース）を使用してもよい。
【００４５】
ステップＳ２０２において、ＵＥ１０は、ＡＰ＃０−＃３のそれぞれにおける複数のＣＳＩ−ＲＳ＃１−＃４のＲＳＲＰ値を算出してもよい。
【００４６】
ステップＳ２０３において、例えば、ＵＥ１０は、ＡＰ＃０−＃３の一部を選択してもよい。例えば、ＵＥ１０は、最大の平均ＲＳＲＰ値をもつ１つのＡＰを決定してもよい。例えば、図１３に示すように、ＡＰ＃０−＃３のそれぞれにおけるＲＳＲＰ値は平均化されてもよい。次いで、当該平均化されたＲＳＲＰ値（例えば、「Ｐ０  ｄＢＭ」、「Ｐ１  ｄＢＭ」、「Ｐ２  ｄＢＭ」、「Ｐ３  ｄＢＭ」）は比較されてもよく、最大の平均ＲＳＲＰ値をもつＡＰが選択されてもよい。ＵＥ１０は、ｇＮＢ２０へ、ＡＰ＃１及びｐ１  ｄＢｍを含むフィードバック情報を送信してもよい。
【００４７】
図１２に戻り、ステップＳ２０４において、ＵＥ１０は、決定されたＡＰ及び当該決定されたＡＰに対するＲＳＲＰ値を示すＣＳＩフィードバック情報についてのＣＳＩ報告を行ってもよい。
【００４８】
（第３の実施例）
本開示の第３の実施例における一以上の実施形態によれば、ＵＥ１０は、ビームマネジメントのためのポート（リソース）選択／組み合わせコードブックを使用してもよい。ＵＥ１０は、ｇＮＢ２０へ、コードブックのインデックス（ＰＭＩ）とともにメトリック（例えば、ＲＳＲＰ）を報告してもよい。例えば、２ポート（２リソース）のＣＳＩ−ＲＳのコードブックは、以下のいずれかでありうる：
・［１，０］、［０，１］
・ｓｑｒｔ（２）［１，０］、ｓｑｒｔ（２）［０，１］
・１／ｓｑｒｔ（２）［１，１］、１／ｓｑｒｔ（２）［１，ｊ］、１／ｓｑｒｔ（２）［１，−１］、１／ｓｑｒｔ（２）［１，−ｊ］
・［１，０］、［０，１］、１／ｓｑｒｔ（２）［１，１］、１／ｓｑｒｔ（２）［１，ｊ］、１／ｓｑｒｔ（２）［１，−１］、１／ｓｑｒｔ（２）［１，−ｊ］
【００４９】
ここでは、いくつかの同位相情報がすでに与えられていることを前提とする。
【００５０】
ｇＮＢ２０は、ＵＥ１０による導出のために、コードブックの一部を制限するコードブックサブセット制限（Codebook  Subset  Restriction（ＣＳＲ））メカニズムを使用してもよい。
【００５１】
（第４の実施例）
本開示の第４の実施例における一以上の実施形態によれば、本開示の第１及び第２の実施例における一以上の実施形態におけるビームマネジメントの方法は、動的又は準静的に切り替えてもよい。図１４は、本開示の第４の実施例における一以上の実施形態に係る、ビームマネジメント及びＣＳＩ取得スキームを示すフローチャート図である。図１４のステップと同じ図６及び図１１のステップには、同じ参照符号が付してある。
【００５２】
図１４に示すように、ステップＳ１０ａにおいて、ＵＥ１０から、選択方法を切り替える指示を受信してもよい。当該指示は、下り制御情報（Downlink  Control  Information（ＤＣＩ））及びＲＲＣ（Radio  Resource  Control）シグナリングを用いて送信されてもよい。
【００５３】
次いで、ステップＳ１０ｂにおいて、当該指示が「ＡＰ決定」方法を示す場合、ステップＳ２１が実行されてもよい。一方、当該指示が「ＣＲＩ決定」方法を示す場合、ステップＳ１１が実行されてもよい。
【００５４】
したがって、本開示の第４の実施例における一以上の実施形態によれば、２つのタイプのビームマネジメント方法が切り替えられうる。当該方法は、第１の実施例及び／又は第２の実施例における異なる選択方法の間で切り替えられうる。
【００５５】
上記実施例においては、主にｇＮＢのＴｘビームマネジメントの例について示している。しかしながら、これら実施例は、ＵＥのＲｘビームマネジメントにも適用可能である。
【００５６】
（基地局の構成）
以下、図１５を参照して、本開示における一以上の実施形態におけるｇＮＢ２０について説明する。図１５は、本開示の一以上の実施形態に係るｇＮＢ２０の概略構成を示す図である。ｇＮＢ２０は、複数の送受信アンテナ（アンテナエレメントグループ）２０１、アンプ部２０２、送受信部（送信部／受信部）２０３、ベースバンド信号処理部２０４、呼処理部２０５、及び伝送路インターフェース部２０６を含んでもよい。
【００５７】
ＤＬでｇＮＢ２０からＵＥ２０に送信されるユーザデータは、コアネットワーク３０から伝送路インターフェース部２０６を介してベースバンド信号処理部２０４に入力される。
【００５８】
ベースバンド信号処理部２０４において、信号は、ＰＤＣＰ（Packet  Data  Convergence  Protocol）レイヤの処理、ユーザデータの分割及び結合、ＲＬＣ（Radio  Link  Control）再送制御の送信処理などのＲＬＣレイヤの送信処理、ＭＡＣ（Medium  Access  Control）再送制御、例えばＨＡＲＱの送信処理、スケジューリング、伝送フォーマット選択、チャネル符号化、逆高速フーリエ変換（Inverse  Fast  Fourier  Transform（ＩＦＦＴ））処理、プリコーディング処理が行われて各送受信部２０３に転送される。また、ＤＬ制御チャネルの信号に関しては、チャネル符号化及び逆高速フーリエ変換等の送信処理が行われて、各送受信部２０３に転送される。
【００５９】
ベースバンド信号処理部２０４は、上位レイヤシグナリング（例えば、ＲＲＣシグナリングおよびブロードキャストチャネル）によって、セル内の通信のための制御情報（システム情報）を各ＵＥ１０に通知する。セル内の通信に関する情報には、例えば、ＵＬ又はＤＬのシステム帯域幅が含まれる。
【００６０】
各送受信部２０３において、アンテナごとにプリコーディングされてベースバンド信号処理部２０４から出力されるベースバンド信号は、無線周波数帯域への周波数変換処理を行われる。アンプ部２０２は、周波数変換された無線周波数信号を増幅し、得られた信号は送受信アンテナ２０１から送信される。
【００６１】
ＵＥ１０からｇＮＢ２０にＵＬで送信されるデータについては、無線周波数信号は各送受信アンテナ２０１において受信され、アンプ部２０２において増幅され、送受信部２０３で周波数変換及びベースバンド信号に変換され、ベースバンド信号処理部２０４へ入力される。
【００６２】
ベースバンド信号処理部２０４は、受信したベースバンド信号に含まれるユーザデータに対して、ＦＦＴ処理、ＩＤＦＴ処理、誤り訂正復号、ＭＡＣ再送制御受信処理、ＲＬＣ層及びＰＤＣＰ層受信処理を行う。次いで、得られた信号は、伝送路インターフェース部２０６を介してコアネットワーク３０に転送される。呼処理部２０５は、通信チャネルの設定や解放などの呼処理を行い、ｇＮＢ２０の状態を管理し、無線リソースを管理する。
【００６３】
（ユーザ装置の構成）
本開示の一以上の実施形態におけるＵＥ１０を、図１６を参照して以下に説明する。図１６は、本開示の一以上の実施形態に係るＵＥ１０の概略構成である。ＵＥ１０は、複数のＵＥアンテナＳ１０１、アンプ部１０２、送受信部（送信部／受信部）１０３１を含む回路１０３、制御部１０４、およびアプリケーション部１０５を有する。
【００６４】
ＤＬに関しては、ＵＥアンテナＳ１０１で受信された無線周波数信号は、各アンプ部１０２で増幅され、送受信部１０３１でベースバンド信号に周波数変換される。これらのベースバンド信号は、制御部１０４でＦＦＴ処理、誤り訂正復号、再送制御などの受信処理が行われる。ＤＬユーザデータは、アプリケーション部１０５に転送される。アプリケーション部１０５は、物理レイヤおよびＭＡＣレイヤよりも上位のレイヤに関する処理を実行する。下りリンクデータでは、ブロードキャスト情報もアプリケーション部１０５に転送される。
【００６５】
一方、ＵＬユーザデータは、アプリケーション部１０５から制御部１０４に入力される。制御部１０４では、再送制御（ハイブリッドＡＲＱ）送信処理、チャネル符号化、プリコーディング、ＤＦＴ処理、ＩＦＦＴ処理などが行われ、得られた信号が各送受信部１０３１に転送される。送受信部１０３１では、制御部１０４から出力されたベースバンド信号が無線周波数帯域に変換される。その後、周波数変換された無線周波数信号はアンプ部１０２で増幅された後、アンテナ１０１から送信される。
【００６６】
上記の例は、主に下りリンクのビームマネジメントに焦点を当てているが、本開示の一以上の実施形態は、上りリンク、下りリンク、送信及び受信に適用されてもよい。上りリンクのビームマネジメントに適用される場合、下りリンクＲＳは上りリンクＲＳに代わりうる。同様に、ＵＥのフィードバックは、ｇＮＢのシグナリングに代わりうる。
【００６７】
本開示の一以上の実施形態は、Ｒｘビームマネジメントに適用されてもよい。例えば、ＵＥ  Ｒｘビーム選択は、実施例１、２又は３のいずれかを用いて実行されうる。
【００６８】
本開示は、ＮＲに基づくチャネル及びシグナリング方式の例を主に説明したが、本開示はそれに限定されない。本開示の一以上の実施形態は、ＬＴＥ／ＬＴＥ−Ａと同じ機能を有する別のチャネル及びシグナリング方式、ならびに、新しく定義されたチャネル及びシグナリング方式に適用してもよい。
【００６９】
本開示は、主に、ＣＳＩ−ＲＳに基づくチャネル推定及びＣＳＩフィードバックスキームに関連する技術の例を説明したが、本開示はそれらに限定されない。本開示の一以上の実施形態は、他の同期信号、参照信号及び物理チャネル（例えば、測定用参照信号（Sounding  Reference  Signal（ＳＲＳ））、プライマリ同期信号（Primary  Synchronization  Signal（ＰＳＳ））／セカンダリ同期信号（Secondary  Synchronization  Signal（ＳＳＳ））、復調用参照信号（Demodulation  Reference  Signal（ＤＭ−ＲＳ））、物理ブロードキャストチャネル（Physical  Broadcast  Channel（ＰＢＣＨ））、および、物理ランダムアクセスチャネル（Physical  Random  Access  Channel（ＰＲＡＣＨ））など）に適用されてもよい。
【００７０】
本開示は、様々なシグナリング方法の例を説明したが、本開示の一以上の実施形態に係るシグナリングは、明示的又は暗黙的に実行されてもよい。
【００７１】
本開示は、主に様々なシグナリング方法の例を説明したが、本開示の一以上の実施形態におけるシグナリングは、上位レイヤシグナリング（例えば、ＲＲＣシグナリングなど）及び／又は下位レイヤシグナリング（例えば、下り制御情報（Downlink  Control  Information（ＤＣＩ）及びメディアアクセス制御用制御要素（Media  Access  Control  Control  Element（ＭＡＣ  ＣＥ）））であってもよい。さらに、本開示の一以上の実施形態に係るシグナリングは、マスタ情報ブロック（Master  Information  Block（ＭＩＢ））及び／又はシステム情報ブロック（System  Information  Block（ＳＩＢ））を用いてもよい。例えば、本開示の一以上の実施形態に係るシグナリングとして、ＲＲＣ、ＤＣＩ及びＭＡＣ  ＣＥのうち少なくとも２つを組み合わせて用いてもよい。
【００７２】
本開示の一以上の実施形態によれば、物理信号／チャネルがビーム形成（ビームフォーミング）されるかどうかは、ＵＥにとって透過的であってもよい。ビーム形成されたＲＳ及びビーム形成された信号は、それぞれＲＳ及び信号と呼ばれてもよい。さらに、ビーム形成されたＲＳは、ＲＳリソースと読み替えられてもよい。さらに、ビーム選択は、リソース選択と読み替えられてもよい。さらに、ビームインデックスは、リソースインデックス（インジケータ）又はアンテナポートインデックスと互いに読み替えられてもよい。
【００７３】
本開示の一以上の実施形態は、ＣＳＩ取得、チャネル測定、ビームマネジメント及び他のビーム制御方法に適用されてもよい。
【００７４】
上記の実施例及び変形例は互いに組み合わせることができ、これらの例の様々な特徴は様々な組み合わせで互いに組み合わせることができる。本開示は、本明細書に開示された特定の組み合わせに限定されない。
【００７５】
本開示は限られた数の実施の形態のみに関して説明されたが、本開示の利益を有する当業者は、本発明の範囲から逸脱することなく他の様々な実施の形態が考案され得ることを認識する。したがって、本発明の範囲は、添付の特許請求の範囲によってのみ制限されるべきである。
【図１】
2020532185.tif 000003
【図２】
2020532185.tif 000004
【図３Ａ】
2020532185.tif 000005
【図３Ｂ】
2020532185.tif 000006
【図４Ａ】
2020532185.tif 000007
【図４Ｂ】
2020532185.tif 000008
【図５】
2020532185.tif 000009
【図６】
2020532185.tif 000010
【図７】
2020532185.tif 000011
【図８】
2020532185.tif 000012
【図９】
2020532185.tif 000013
【図１０】
2020532185.tif 000014
【図１１】
2020532185.tif 000015
【図１２】
2020532185.tif 000016
【図１３】
2020532185.tif 000017
【図１４】
2020532185.tif 000018
【図１５】
2020532185.tif 000019
【図１６】
2020532185.tif 000020
【国際調査報告】
2020532185.tif 000021
2020532185.tif 000022
2020532185.tif 000023